(57)【要約】【課題】アウトガスの発生防止と、組立精度のばらつき低減とを両立することができる眼科装置のレンズユニットを提供する。【解決手段】１つのレンズ又は共通の光軸を有する複数のレンズと、レンズの光軸方向に延びた筒形状を有し、レンズを収納するレンズ収納筒と、レンズ収納筒内で且つレンズよりも光軸方向の一方向側の位置に、非接着で移動不能に設けられている規制部材であって、レンズの一方向側への移動は規制し、且つ光軸に沿って進行する光は通過させる規制部材と、レンズ収納筒内で且つレンズよりも光軸方向の他方向側の位置において、レンズ収納筒にスナップフィット方式で固定され、且つ光の光路が貫通する第１貫通穴を有する押え環であって、規制部材との間でレンズを直接的又は間接的に挟持固定する押え環と、を備える。【選択図】図５
2019170500.tif 000002
【特許請求の範囲】
【請求項１】
１つのレンズ又は共通の光軸を有する複数のレンズと、
前記レンズの光軸方向に延びた筒形状を有し、前記レンズを収納するレンズ収納筒と、
前記レンズ収納筒内で且つ前記レンズよりも前記光軸方向の一方向側の位置に、非接着で移動不能に設けられている規制部材であって、前記レンズの前記一方向側への移動は規制し、且つ前記光軸に沿って進行する光は通過させる規制部材と、
前記レンズ収納筒内で且つ前記レンズよりも前記光軸方向の他方向側の位置において、前記レンズ収納筒にスナップフィット方式で固定され、且つ前記光の光路が貫通する第１貫通穴を有する押え環であって、前記規制部材との間で前記レンズを直接的又は間接的に挟持固定する押え環と、
を備える眼科装置のレンズユニット。
【請求項２】
前記押え環が、前記レンズ収納筒の内周面に対向する外周面と、前記外周面に設けられた１以上のスナップフィット係合部と、を備え、
前記レンズ収納筒が、前記内周面に前記スナップフィット係合部が係合するスナップフィット被係合部を備える請求項１に記載の眼科装置のレンズユニット。
【請求項３】
複数の前記スナップフィット係合部が、前記外周面の周方向に沿って等間隔で設けられている請求項２に記載の眼科装置のレンズユニット。
【請求項４】
前記スナップフィット係合部は、
前記光軸方向において前記外周面の全域に亘って延在する板状の可撓体であって、前記内周面に対向する第１面と、前記第１面とは反対側の面である第２面と、を有する可撓体と、
前記第１面の前記一方向側の端部に設けられ、前記スナップフィット被係合部に向けて突出した係合爪と、
前記第２面の前記他方向側の端部に設けられ、前記可撓体と前記押え環とを接続する接続部と、
を備え、
前記スナップフィット被係合部は、前記係合爪が係合する係合穴である請求項２又は３に記載の眼科装置のレンズユニット。
【請求項５】
前記係合爪の前記他方向側の側面が前記光軸方向に対して垂直な平面状に形成されている請求項４に記載の眼科装置のレンズユニット。
【請求項６】
前記係合爪の先端部が面取りされている請求項４又は５に記載の眼科装置のレンズユニット。
【請求項７】
前記規制部材が、環状に形成され、且つ前記光路が貫通する第２貫通穴を有する請求項１から６のいずれか１項に記載の眼科装置のレンズユニット。
【請求項８】
前記規制部材の前記他方向側の端面が、突き当て面として機能する請求項１から７のいずれか１項に記載の眼科装置のレンズユニット。
【請求項９】
前記レンズ収納筒内に、前記光軸方向に沿って複数の前記レンズが収納されている場合、前記光軸方向において互いに隣り合う前記レンズの間に、前記光路が貫通する第３貫通穴を有する間隔環が設けられている請求項１から８のいずれか１項に記載の眼科装置のレンズユニット。
【発明の詳細な説明】
【技術分野】
【０００１】
本発明は、光学系を備える眼科装置のレンズユニットに関する。
【背景技術】
【０００２】
眼科装置として、光干渉断層計、走査型レーザ顕微鏡、スリットランプ、レフラクトメータ、ケラトメータ、スペキュラーマイクロスコープ、眼圧計、及びウェーブフロントアナライザ等が知られている。これらの眼科装置には、被検眼の照明或いは撮影などに用いられる各種の光学系が１以上設けられている（特許文献１参照）。この光学系には、１以上のレンズと、この１以上のレンズを収納するレンズ収納筒（セル、ケース、鏡胴、及び筐体ともいう）とを備えるレンズユニットが設けられている。そして、このレンズユニットを組み立てる際には、作業者の手作業によって、レンズをレンズ収納筒内に接着剤で固定するのが通常である。
【先行技術文献】
【特許文献】
【０００３】
【特許文献１】特開２０１３−２４８３７６号公報
【発明の概要】
【発明が解決しようとする課題】
【０００４】
ところで、レンズをレンズ収納筒内に接着剤で固定すると、この接着剤からアウトガスが発生するおそれがある。また、例えば照明光学系及び撮影光学系等に設けられているレンズユニットは、組立誤差に起因する光学性能への影響が大きくなる、すなわち製造誤差感度が大きくなる。このため、レンズ収納筒内へのレンズの接着固定を作業者の手作業により行う場合、レンズユニットの組立精度にばらつきが生じてしまう。その結果、組立精度が低いレンズユニットについてはその光学性能が著しく低下するおそれがある。
【０００５】
本発明はこのような事情に鑑みてなされたものであり、アウトガスの発生防止と、組立精度のばらつき低減とを両立することができる眼科装置のレンズユニットを提供することを目的とする。
【課題を解決するための手段】
【０００６】
本発明の目的を達成するための眼科装置のレンズユニットは、１つのレンズ又は共通の光軸を有する複数のレンズと、レンズの光軸方向に延びた筒形状を有し、レンズを収納するレンズ収納筒と、レンズ収納筒内で且つレンズよりも光軸方向の一方向側の位置に、非接着で移動不能に設けられている規制部材であって、レンズの一方向側への移動は規制し、且つ光軸に沿って進行する光は通過させる規制部材と、レンズ収納筒内で且つレンズよりも光軸方向の他方向側の位置において、レンズ収納筒にスナップフィット方式で固定され、且つ光の光路が貫通する第１貫通穴を有する押え環であって、規制部材との間でレンズを直接的又は間接的に挟持固定する押え環と、を備える。
【０００７】
この眼科装置のレンズユニットによれば、接着剤を用いることなく簡便にレンズユニットの組み立てを行うことができる。
【０００８】
本発明の他の態様に係る眼科装置のレンズユニットにおいて、押え環が、レンズ収納筒の内周面に対向する外周面と、外周面に設けられた１以上のスナップフィット係合部と、を備え、レンズ収納筒が、内周面にスナップフィット係合部が係合するスナップフィット被係合部を備える。これにより、レンズ収納筒に対して押え環をスナップフィット方式で固定することができる。
【０００９】
本発明の他の態様に係る眼科装置のレンズユニットにおいて、複数のスナップフィット係合部が、外周面の周方向に沿って等間隔で設けられている。
【００１０】
本発明の他の態様に係る眼科装置のレンズユニットにおいて、スナップフィット係合部は、光軸方向において外周面の全域に亘って延在する板状の可撓体であって、内周面に対向する第１面と、第１面とは反対側の面である第２面と、を有する可撓体と、第１面の一方向側の端部に設けられ、スナップフィット被係合部に向けて突出した係合爪と、第２面の他方向側の端部に設けられ、可撓体と押え環とを接続する接続部と、を備え、スナップフィット被係合部は、係合爪が係合する係合穴である。
【００１１】
本発明の他の態様に係る眼科装置のレンズユニットにおいて、係合爪の他方向側の側面が光軸方向に対して垂直な平面状に形成されている。これにより、押え環の他方向側への移動が確実に規制される。
【００１２】
本発明の他の態様に係る眼科装置のレンズユニットにおいて、係合爪の先端部が面取りされている。これにより、係合爪を係合穴に容易に挿入することができる。
【００１３】
本発明の他の態様に係る眼科装置のレンズユニットにおいて、規制部材が、環状に形成され、且つ光路が貫通する第２貫通穴を有する。
【００１４】
本発明の他の態様に係る眼科装置のレンズユニットにおいて、規制部材の他方向側の端面が、突き当て面として機能する。
【００１５】
本発明の他の態様に係る眼科装置のレンズユニットにおいて、レンズ収納筒内に、光軸方向に沿って複数のレンズが収納されている場合、光軸方向において互いに隣り合うレンズの間に、光路が貫通する第３貫通穴を有する間隔環が設けられている。これにより、レンズ収納筒内での各レンズの姿勢を安定させると共に、各レンズのレンズ間隔を任意に調整することができる。
【発明の効果】
【００１６】
本発明は、アウトガスの発生防止と、組立精度のばらつき低減とを両立することができる。
【図面の簡単な説明】
【００１７】
【図１】眼科装置の構成の一例を示す概略図である。
【図２】レンズユニットの側面図である。
【図３】図２中のレンズユニットのレンズ収納筒のみを断面図に置き換えた図である。
【図４】レンズユニットの分解図である。
【図５】レンズユニットの断面図である。
【図６】押え環をその上方向側から見た斜視図である。
【図７】押え環をその上方向側から見た上面図である。
【図８】図７中の８−８線に沿った押え環の断面図である。
【図９】図７中の点線円Ｕで示した部分の拡大図である。
【図１０】レンズ収納筒の上方向側の端部の断面拡大図である。
【図１１】上記実施形態のレンズユニットの変形例を説明するための説明図である。
【発明を実施するための形態】
【００１８】
［眼科装置の構成］
図１は、本発明の眼科装置１の構成の一例を示す概略図である。なお、本実施形態では、眼科装置１として、眼底カメラと、光コヒーレンストモグラフィ（Optical Coherence Tomography：OCT）を用いて断層像を得る光干渉断層計と、を組み合わせた複合機を例に挙げて説明を行う。
【００１９】
図１に示すように、眼科装置１は、眼底カメラユニット２、ＯＣＴユニット１００、及び演算制御ユニット２００を備える。眼底カメラユニット２は、従来の眼底カメラとほぼ同様の光学系を有する。ＯＣＴユニット１００には、眼底のＯＣＴ画像を取得するための光学系が設けられている。演算制御ユニット２００は、各種の演算処理及び制御処理等を実行するコンピュータである。
【００２０】
［眼底カメラユニット］
図１に示す眼底カメラユニット２には、被検眼Ｅの眼底Ｅｆの表面形態を表す２次元画像（眼底像）を取得するための光学系として、照明光学系１０と撮影光学系３０とが設けられている。照明光学系１０は眼底Ｅｆに照明光を照射する。撮影光学系３０は、この照明光の眼底反射光を、ＣＭＯＳ（complementary metal oxide semiconductor）型又はＣＣＤ（Charge Coupled Device）型のイメージセンサ３５，３８に導く。また、撮影光学系３０は、ＯＣＴユニット１００からの信号光を眼底Ｅｆに導くと共に、眼底Ｅｆを経由した信号光をＯＣＴユニット１００に導く。
【００２１】
照明光学系１０の観察光源１１は、例えばハロゲンランプ又はＬＥＤ（Light Emitting Diode）光源等が用いられ、観察照明光を出射する。観察光源１１から出射された観察照明光は、反射ミラー１２により反射され、集光レンズ１３を経由し、可視カットフィルタ１４を透過して近赤外光となる。さらに、観察照明光は、撮影光源１５の近傍にて一旦集束し、ミラー１６により反射され、リレーレンズ１７，１８、絞り１９、及びリレーレンズ２０を経由する。そして、観察照明光は、孔開きミラー２１の周辺部（孔部の周囲の領域）にて反射され、ダイクロイックミラー４６を透過し、対物レンズ２２により屈折されて眼底Ｅｆを照明する。
【００２２】
観察照明光の眼底反射光は、対物レンズ２２により屈折され、ダイクロイックミラー４６を透過し、孔開きミラー２１の中心領域に形成された孔部を通過し、ダイクロイックミラー５５を透過し、合焦レンズ３１を経由し、ミラー３２により反射される。さらに、この眼底反射光は、ハーフミラー３９Ａを透過し、ダイクロイックミラー３３により反射され、集光レンズ３４によりイメージセンサ３５の受光面に結像される。イメージセンサ３５は、眼底反射光を撮像（受光）して撮像信号を出力する。表示装置３には、イメージセンサ３５から出力された撮像信号に基づく観察画像が表示される。なお、撮影光学系３０のピントが被検眼Ｅの前眼部Ｅａに合わせられている場合、この前眼部Ｅａの観察画像が表示装置３に表示される。
【００２３】
撮影光源１５は、例えばキセノンランプ又はＬＥＤ光源等が用いられ、撮影照明光を出射する。撮影光源１５から出射された撮影照明光は、既述の観察照明光と同様の経路を通って眼底Ｅｆに照射される。撮影照明光の眼底反射光は、観察照明光の眼底反射光と同様の経路を通ってダイクロイックミラー３３まで導かれ、ダイクロイックミラー３３を透過し、ミラー３６により反射され、集光レンズ３７によりイメージセンサ３８の受光面に結像される。
【００２４】
イメージセンサ３８は、眼底反射光を撮像（受光）して撮像信号を出力する。表示装置３には、イメージセンサ３８から出力された撮像信号に基づく撮影画像が表示される。なお、観察画像を表示する表示装置３と撮影画像を表示する表示装置３とは、同一のものであってもよいし、異なるものであってもよい。
【００２５】
ＬＣＤ（Liquid Crystal Display）３９は、固視標及び視力測定用指標などを表示する。固視標は被検眼Ｅを固視させるための指標であり、眼底撮影時及びＯＣＴ計測時などに使用される。
【００２６】
ＬＣＤ３９から出力された光は、その一部がハーフミラー３９Ａにて反射され、ミラー３２に反射され、合焦レンズ３１及びダイクロイックミラー５５を経由し、孔開きミラー２１の孔部を通過し、ダイクロイックミラー４６を透過し、対物レンズ２２により屈折されて眼底Ｅｆに投影される。これにより、被検眼Ｅに対して固視標及び視力測定用指標などを呈示することができる。
【００２７】
さらに、眼底カメラユニット２には、従来の眼底カメラと同様にアライメント光学系５０とフォーカス光学系６０とが設けられている。アライメント光学系５０は、被検眼Ｅに対する装置光学系の位置合わせ（アライメント）を行うためのアライメント指標を生成する。フォーカス光学系６０は、眼底Ｅｆに対してフォーカス（ピント）を合わせるためのスプリット指標を生成する。
【００２８】
アライメント光学系５０のＬＥＤ５１から出射されたアライメント光は、絞り５２，５３及びリレーレンズ５４を経由してダイクロイックミラー５５により反射され、孔開きミラー２１の孔部を通過し、ダイクロイックミラー４６を透過し、対物レンズ２２により被検眼Ｅの前眼部Ｅａの角膜に投影される。
【００２９】
アライメント光の角膜反射光は、対物レンズ２２、ダイクロイックミラー４６、及び孔開きミラー２１の孔部を経由し、その一部がダイクロイックミラー５５を透過し、合焦レンズ３１を通過し、ミラー３２により反射され、ハーフミラー３９Ａを透過し、ダイクロイックミラー３３に反射され、集光レンズ３４によりイメージセンサ３５の受光面に投影される。イメージセンサ３５は、アライメント光の角膜反射光を撮像（受光）して撮像信号を出力する。これにより、表示装置３に、観察画像と共にアライメント指標が表示される。そして、ユーザは、従来の眼底カメラと同様の操作を行ってアライメントを実施する。また、演算制御ユニット２００がアライメント指標の位置を解析して光学系を移動させることによりアライメント（オートアライメント）を行ってもよい。
【００３０】
フォーカス調整を行う際には、照明光学系１０の光路上に反射棒６７の反射面がセットされる。フォーカス光学系６０のＬＥＤ６１から出射されたフォーカス光は、リレーレンズ６２を通過し、スプリット指標板６３により２つの光束に分離され、二孔絞り６４を通過し、ミラー６５に反射され、集光レンズ６６により反射棒６７の反射面に一旦結像され、反射面にてリレーレンズ２０に向けて反射される。さらにフォーカス光は、リレーレンズ２０を経由し、孔開きミラー２１に反射され、ダイクロイックミラー４６を透過し、対物レンズ２２により屈折されて眼底Ｅｆに投影される。
【００３１】
フォーカス光の眼底反射光は、アライメント光の角膜反射光と同様の経路を通ってＣＣＤイメージセンサ３５により撮像（受光）される。イメージセンサ３５は、フォーカス光の眼底反射光を撮像（受光）して撮像信号を出力する。これにより、表示装置３に観察画像と共にスプリット指標が表示される。演算制御ユニット２００は、従来と同様に、スプリット指標の位置を解析して合焦レンズ３１及びフォーカス光学系６０を移動させてピント合わせを自動で行う。また、ユーザがスプリット指標を視認しつつ手動でピント合わせを行ってもよい。
【００３２】
ダイクロイックミラー４６は、眼底撮影用の光路からＯＣＴ計測用の光路を分岐させている。ダイクロイックミラー４６は、ＯＣＴ計測に用いられる波長帯の光を反射し、眼底撮影用の光を透過させる。このＯＣＴ計測用の光路には、ＯＣＴユニット１００側から順に、コリメータレンズユニット４０と、光路長変更部４１と、ガルバノスキャナ４２と、合焦レンズ４３と、ミラー４４と、リレーレンズ４５と、が設けられている。
【００３３】
光路長変更部４１は、図１に示す矢印の方向に移動可能とされ、ＯＣＴ計測用の光路の光路長を変更する。この光路長の変更は、被検眼Ｅの眼軸長に応じた光路長の補正、及び干渉状態の調整などに利用される。光路長変更部４１は、例えばコーナーキューブと、これを移動する機構と、を含む。
【００３４】
ガルバノスキャナ４２は、ＯＣＴ計測用の光路を通過する信号光の進行方向を変更する。これにより、眼底Ｅｆを信号光で走査することができる。ガルバノスキャナ４２は、たとえば、信号光をｘ方向に走査するガルバノミラーと、ｙ方向に走査するガルバノミラーと、これらを独立に駆動する機構とを含む。これにより、信号光をｘｙ平面上の任意の方向に走査することができる。
【００３５】
眼底カメラユニット２には２台の前眼部カメラ３００が設けられている。各前眼部カメラ３００は、前眼部Ｅａを異なる方向から実質的に同時に撮影する。また、各前眼部カメラ３００は、照明光学系１０の光路及び撮影光学系３０の光路から外れた位置に設けられている。そして、各前眼部カメラ３００は、被検眼Ｅが実質的に同じ位置（向き）にある状態での被検眼Ｅの撮影画像をそれぞれ取得する。各撮影画像は、演算制御ユニット２００による被検眼Ｅの特徴部位の三次元位置の解析に用いられる。
【００３６】
ＯＣＴユニット１００には、眼底ＥｆのＯＣＴ画像を取得するための光学系が設けられている。この光学系は、従来のスペクトラルドメインタイプのＯＣＴ装置と同様の構成を有する。すなわち、この光学系は、低コヒーレンス光を参照光と信号光に分割し、眼底Ｅｆを経由した信号光と参照光路を経由した参照光とを干渉させて干渉光を生成し、この干渉光のスペクトル成分を検出する。この検出結果（検出信号）は、ＯＣＴユニット１００から演算制御ユニット２００へ出力される。なお、ＯＣＴユニット１００の光学系の具体的な構成については公知技術（例えば上記特許文献１参照）であるので、ここでは具体的な説明は省略する。
【００３７】
演算制御ユニット２００は、ＯＣＴユニット１００から入力される検出信号を解析して眼底ＥｆのＯＣＴ画像を形成する。なお、ＯＣＴ画像の具体的な形成方法は、従来のスペクトラルドメインタイプのＯＣＴ装置と同様である。また、演算制御ユニット２００は、眼底カメラユニット２、表示装置３、及びＯＣＴユニット１００の各部の動作を統括制御する。
【００３８】
演算制御ユニット２００は、例えば従来のコンピュータと同様に、マイクロプロセッサ、メモリ、ハードディスクドライブ、通信インターフェイス、操作デバイス（キーボード等）、及び表示デバイス（ＬＣＤ等）などを備える。ハードディスクドライブ等の記憶装置には、眼科装置１を制御するためのコンピュータプログラムが記憶されている。また、演算制御ユニット２００は、各種の回路基板、例えばＯＣＴ画像を形成するための回路基板を備えていてもよい。
【００３９】
［レンズユニットの構成］
照明光学系１０のミラー１６と孔開きミラー２１との間には、共通の光軸ＯＰ（図３等参照）を有し、且つ観察照明光及び撮影照明光（以下、単に照明光と略す）が通過する既述のリレーレンズ１７，１８，２０が配置されている。そして、これらリレーレンズ１７，１８，２０は、後述のレンズユニット７０（図２参照）の一部を構成し、且つこのレンズユニット７０のレンズ収納筒７１（図２参照）の内部に非接着で固定されている。すなわち、ミラー１６と孔開きミラー２１との間には、レンズユニット７０が設けられている。以下、レンズユニット７０の詳細構成について説明する。
【００４０】
なお、説明及び図面の煩雑化を防止するため、リレーレンズ１７，１８，２０を２枚の第１レンズ７４及び第２レンズ７５（図３参照）に置き換えると共に、光軸ＯＰ上のリレーレンズ１７，１８，２０以外の構成（絞り１９及びフォーカス光学系６０）については図示を省略する。また、図１では、ミラー１６及び孔開きミラー２１の双方による照明光の屈曲角度が９０°未満であるが、以下の説明では双方による照明光の屈曲角度が９０°であるものとして説明を行う。
【００４１】
図２は、レンズユニット７０の側面図である。図３は、図２中のレンズユニット７０のレンズ収納筒７１のみを断面図に置き換えた図である。図４は、レンズユニット７０の分解図である。図５は、レンズユニット７０の断面図である。なお、図中の左右方向、上下方向、及び前後方向は、互いに直交している。また、本実施形態では、図中の上下方向が第１レンズ７４及び第２レンズ７５の光軸ＯＰの光軸方向に平行な方向になる。そして、図中の下方向側が本発明の光軸方向の一方向側に相当し、且つ図中の上方向側が本発明の光軸方向の他方向側に相当する。
【００４２】
図２から図５に示すように、レンズユニット７０は、レンズ収納筒７１と、下側ミラー保持筒７２Ａ及び上側ミラー保持筒７２Ｂと、規制環７３と、第１レンズ７４及び第２レンズ７５と、間隔環７６と、押え環７７と、を備える。
【００４３】
レンズ収納筒７１は、光軸ＯＰの光軸方向（以下、単に光軸方向という）に延びた筒形状を有している。このレンズ収納筒７１の下方向側の端部には下側ミラー保持筒７２Ａが接続され、且つレンズ収納筒７１の上方向側の端部には上側ミラー保持筒７２Ｂが接続されている。なお、本実施形態では、レンズ収納筒７１と各ミラー保持筒７２Ａ，７２Ｂとが一体形成されているが、各々が別体で形成されていてもよい。
【００４４】
レンズ収納筒７１は、その中心軸が光軸ＯＰに一致するように照明光学系１０内に配置されている。このレンズ収納筒７１の内周面である筒内周面７８（図４参照）は、規制環７３、第１レンズ７４、第２レンズ７５、間隔環７６、及び押え環７７の各部材を収納する収納空間を形成する。また、レンズ収納筒７１の下方向側の端部には、下側ミラー保持筒７２Ａの内部に連通する下側開口７９Ａが形成されていると共に、レンズ収納筒７１の上方向側の端部には、上側ミラー保持筒７２Ｂの内部に連通する上側開口７９Ｂが形成されている。さらに、レンズ収納筒７１の筒内周面７８には、後述の係合穴８７（図２参照）がその周方向に沿って等間隔に４つ形成されている。
【００４５】
レンズ収納筒７１の内部には、観察光源１１に近い側から順に、規制環７３、第１レンズ７４、間隔環７６、第２レンズ７５、及び押え環７７が配置されている。規制環７３は、レンズ収納筒７１の内部に予め固定されている。一方、第１レンズ７４、間隔環７６、第２レンズ７５、及び押え環７７は、上側開口７９Ｂよりレンズ収納筒７１の内部に収納される。
【００４６】
下側ミラー保持筒７２Ａは、下側開口７９Ａに対向する位置にミラー１６を保持する。この下側ミラー保持筒７２Ａの内部には、各光源１１，１５からミラー１６に向けて入射する照明光と、ミラー１６で反射され且つミラー１６から下側開口７９Ａに入射する照明光と、が通過する光路空間８１が形成されている。この光路空間８１は、下側開口７９Ａを介してレンズ収納筒７１の内部に連通している。
【００４７】
上側ミラー保持筒７２Ｂは、上側開口７９Ｂに対向する位置に孔開きミラー２１を保持する。この上側ミラー保持筒７２Ｂの内部には、レンズ収納筒７１の内部を通過して孔開きミラー２１に入射する照明光と、孔開きミラー２１により被検眼Ｅに向けて反射された照明光と、被検眼にて反射され且つ孔開きミラー２１の孔部を通ってイメージセンサ３５，３８に入射する反射光と、が通過する光路空間８２が形成されている。この光路空間８２は、上側開口７９Ｂを介してレンズ収納筒７１の内部に連通している。
【００４８】
規制環７３は、本発明の規制部材に相当するものである。この規制環７３は、略環状（略筒状）に形成されており、照明光の光路（光軸ＯＰ）が貫通する貫通穴７３ａ（本発明の第２貫通穴に相当）を有している。また、規制環７３は、その外径がレンズ収納筒７１の内径と略同一の大きさに形成されているため、規制環７３（貫通穴７３ａ）の中心が光軸ＯＰに一致（略一致を含む、以下同じ）する。
【００４９】
規制環７３は、筒内周面７８の下方向側の端部、より具体的には第１レンズ７４よりも下方向側の位置に非接着で移動不能に設けられている。例えば、規制環７３は、レンズ収納筒７１（筒内周面７８）と一体に形成されている。或いは、レンズ収納筒７１と下側ミラー保持筒７２Ａとが別体で形成されている場合には、規制環７３を下側ミラー保持筒７２Ａと一体に形成し、この下側ミラー保持筒７２Ａをレンズ収納筒７１に接続する際に、規制環７３を下側開口７９Ａ内に嵌合させてもよい。なお、レンズ収納筒７１内で規制環７３を非接着で固定する方法は上記方法に限定されるものではなく、公知の方法を採用することができる。
【００５０】
規制環７３の上方向側の端面は、第１レンズ７４の周縁部が突き当てられる環状の突き当て面７３ｂ（図４参照）となる。従って、規制環７３は、第１レンズ７４の下方向側への移動（変位）を直接的に規制すると共に、後述の間隔環７６を介して第２レンズ７５の下方向側への移動も間接的に規制する。
【００５１】
第１レンズ７４は例えば凸レンズであり、第２レンズ７５は例えば凹レンズである。本実施形態では、第１レンズ７４及び第２レンズ７５の双方は、レンズ収納筒７１の内部において光軸方向に移動自在に収納されている。そして、第１レンズ７４は、規制環７３の突き当て面７３ｂ上に配置される。また、第２レンズ７５は、後述の間隔環７６を間に挟んで第１レンズ７４の上方向側に配置される。
【００５２】
また、第１レンズ７４及び第２レンズ７５の双方の直径は、レンズ収納筒７１の内径と略同一の大きさに形成されている。このため、第１レンズ７４及び第２レンズ７５は、レンズ収納筒７１の内部に収納されている状態では、各々の光軸ＯＰが一致する。すなわち、第１レンズ７４及び第２レンズ７５は、共通の光軸ＯＰを有する。
【００５３】
間隔環７６は、略環状（略筒状）に形成されており、既述の照明光の光路が貫通する貫通穴７６ａ（本発明の第３貫通穴に相当）を有している。間隔環７６は、その下方向側の端面が第１レンズ７４の周縁部に当接し、その上方向側の端面が第２レンズ７５の周縁部に当接する。なお、各レンズ７４，７５の周縁部とは、例えばレンズとして機能する有効領域よりも外側の領域である。
【００５４】
第１レンズ７４及び第２レンズ７５の双方の互いに対向する対向面は共にアーチ状の曲面であるため、第１レンズ７４上に第２レンズ７５を直接配置した場合、レンズ収納筒７１内での各レンズ７４，７５の姿勢が安定しない。このため、間隔環７６は、レンズ収納筒７１内での各レンズ７４，７５の姿勢を安定させる。また、間隔環７６の光軸方向の長さを調整することで、各レンズ７４，７５のレンズ間隔を任意に調整可能である。
【００５５】
押え環７７は、各種の樹脂材料で環状に形成されている。また、押え環７７は、既述の照明光の光路が貫通する貫通穴７７ａ（本発明の第１貫通穴に相当）を有している。さらに、押え環７７は、その外径がレンズ収納筒７１の内径に合わせて形成されており、筒内周面７８に対してスナップフィット方式で固定されている。これにより、押え環７７（貫通穴７７ａ）の中心位置が、光軸ＯＰに一致する。
【００５６】
押え環７７は、スナップフィット方式で筒内周面７８に固定された場合に、その固定位置において第２レンズ７５を下方向側に押さえ付ける。既述のように、第２レンズ７５は、間隔環７６及び第１レンズ７４を介して、規制環７３により下方向側への移動が規制されている。このため、押え環７７は、規制環７３との間で、第１レンズ７４、間隔環７６、及び第２レンズ７５を挟持固定する。これにより、レンズ収納筒７１内での第１レンズ７４及び第２レンズ７５の上下方向の位置が位置決めされる。
【００５７】
［押え環の構成］
図６は、押え環７７をその上方向側から見た斜視図である。図７は、押え環７７をその上方向側から見た上面図である。図６及び図７に示すように、押え環７７は、既述の貫通穴７７ａ（内周面）と、筒内周面７８に対向する外周面である環外周面７７ｂと、４つのスナップフィット係合部８５と、を有する。また、押え環７７の下方向側の端面は、第２レンズ７５の周縁部を押さえ付ける環状の押え面７７ｃとなる。
【００５８】
４つのスナップフィット係合部８５は、環外周面７７ｂの周方向に沿って等間隔で設けられている。具体的に、環外周面７７ｂにはその周方向に沿って溝部８８が４つ形成されており、各スナップフィット係合部８５は各溝部８８内にそれぞれ設けられている。各スナップフィット係合部８５は、筒内周面７８に形成されている４つの係合穴８７（本発明のスナップフィット被係合部に相当）にそれぞれ係合する。
【００５９】
図８は、図７中の８−８線（光軸方向に垂直方向）に沿った押え環７７の断面図である。図９は、図７中の点線円Ｕで示した部分の拡大図である。なお、各スナップフィット係合部８５は全て同じ構造であるので、ここでは１つのスナップフィット係合部８５の構造について説明する。
【００６０】
図６から図９に示すように、スナップフィット係合部８５は、押え環７７の一部であって且つ溝部８８の底を構成する底部８９により支持されている。スナップフィット係合部８５は、押え環７７と一体に樹脂材料で形成されており、平板９０と係合爪９１と接続部９２とを有する。なお、スナップフィット係合部８５が、押え環７７とは異なる材料で形成されていてもよい。
【００６１】
平板９０は、本発明の板状の可撓体に相当するものであり、光軸方向において環外周面７７ｂの全域（略全域を含む）に亘って延在する形状を有している。なお、平板９０の幅Ｗ（図７参照）は、溝部８８の同方向の幅よりも小さく形成されている。
【００６２】
平板９０は、筒内周面７８に対向する第１面９０ａと、第１面９０ａとは反対側の面であって且つ底部８９に対向する第２面９０ｂと、を有する。なお、本実施形態において、第１面９０ａは環外周面７７ｂの一部を構成している。
【００６３】
平板９０は、既述の通り樹脂材料で形成されているので可撓性（弾性）を有している。そして、平板９０の上方向側の端部は後述の接続部９２により固定されているが、平板９０の下方向側の端部は非固定である。従って、平板９０は、第１面９０ａ側から底部８９側に向けて押圧された場合に、下方向側の端部が底部８９に近づくように弾性変形される。そして、この押圧が解除されると、平板９０は自身の復元力によって元の形状に復元される。
【００６４】
係合爪９１は、第１面９０ａの下方向側の端部に設けられている。係合爪９１は、平板９０の幅方向に沿って直線状に延び、且つ第１面９０ａから筒内周面７８（係合穴８７）に向けて突出した形状を有する。この係合爪９１の上方向側の側面には、光軸方向に対して垂直な平面状の抜け止め面９１ａが形成されている。また、係合爪９１の先端部（特に先端面と下方向側の端面とがなすコーナ部）には、曲面状に面取りされた面取り面９１ｂが形成されている。
【００６５】
接続部９２は、第２面９０ｂの上方向側の端部に設けられている。接続部９２は、平板９０と底部８９との間に隙間を設けた状態で、平板９０の上方向側の端部と底部８９とを接続する。
【００６６】
［押え環及びスナップフィット係合部の寸法］
次に、押え環７７及びスナップフィット係合部８５の寸法の一例について説明する。なお、本発明は以下の寸法に限定されるものではない。
【００６７】
押え環７７の外径Ｄ１を３０．４ｍｍとした場合、係合爪９１を含めた押え環７７の最大外径Ｄ２は３３．０ｍｍである（図８参照）。従って、個々の係合爪９１の突出長さΔＤは１．３ｍｍ［＝（３３．０−３０．４）／２］となる。このように本実施形態では、係合爪９１の突出長さを外径Ｄ１の約５％程度に調整している。なお、係合爪９１の突出長さを短くした場合、例えば外径Ｄ１の約２．５％程度に調整した場合には、係合爪９１が係合穴８７から抜け易くなってしまう。従って、本実施形態では、係合穴８７からの係合爪９１の意図しない抜けを防止するため、係合爪９１の突出長さを外径Ｄ１の約５％程度に調整している。
【００６８】
レンズ収納筒７１に収納される内容物（第１レンズ７４、第２レンズ７５、及び間隔環７６）の質量を５７ｇとした場合、この内容物に対応したスナップフィット係合部８５の強度を確保するため、平板９０の肉厚ｔを０．８ｍｍとし、平板９０の光軸軸方向の長さＬ１を５．５ｍｍ（係合爪９１の形成部分を除いた長さＬ２は４．５ｍｍ）としている（図９参照）。また、平板９０の幅Ｗを５．０ｍｍとしている（図７参照）。これにより、スナップフィット係合部８５の破損が防止される。
【００６９】
図１０は、レンズ収納筒７１の上方向側の端部の断面拡大図である。図１０に示すように、レンズ収納筒７１の筒内周面７８には、４つの押え環７７にそれぞれ対向する位置に既述の係合穴８７が形成されている。すなわち、筒内周面７８の周方向に沿って４つの係合穴８７が等間隔で形成されている。各係合穴８７には各々に対向するスナップフィット係合部８５の係合爪９１が係合する。これにより、筒内周面７８に対して押え環７７が非接着で固定される。
【００７０】
また、この場合、係合穴８７ごとに、係合穴８７の上方向側の穴内壁面８７ａに対して係合爪９１の抜け止め面９１ａが引っ掛けられる。これにより、各係合爪９１（押え環７７）の上方向側への移動が規制される。
【００７１】
筒内周面７８上での各係合穴８７の形成位置は、規制環７３の上下方向の位置と、レンズ収納筒７１の内部に収納される内容物（第１レンズ７４、間隔環７６、及び第２レンズ７５）の上下方向の厚みの合計値と、に基づき決定される。具体的には、各係合穴８７の形成位置を、規制環７３と押え環７７との間の距離が、上述の厚みの合計値よりも僅かに小さくなるような位置に調整している。これにより、筒内周面７８に押え環７７が固定された場合に、押え環７７によって上述の内容物が下方向側に押さえ付けられる。
【００７２】
また、各係合穴８７は、レンズ収納筒７１の内外周面を貫通している。このため、レンズ収納筒７１の外周面側に開口している各係合穴８７の開口部から、係合爪９１の先端部を筒内周面７８側に向けてそれぞれ押圧することで、各係合爪９１と各係合穴８７との係合を解除することができる。これにより、レンズ収納筒７１から押え環７７を取り外すことができる。なお、レンズ収納筒７１から押え環７７を取り外す必要が無い場合には、各係合穴８７を筒内周面７８側のみで開口する非貫通穴に形成する。
【００７３】
レンズ収納筒７１の各レンズ７４，７５の収納部分における筒内周面７８の内径Ｄ３は、各レンズ７４，７５の直径に合わせて例えば３０．０ｍｍに調整されている。一方、レンズ収納筒７１の上方向側の端部における筒内周面７８の内径Ｄ４は、既述の押え環７７の最大外径Ｄ２に合わせて形成されている。なお、レンズ収納筒７１の各係合穴８７の形成部分における内周面の内径Ｄ５は、押え環７７の外径Ｄ１に合わせて形成されている。このため、筒内周面７８には、内径Ｄ４の部分と内径Ｄ５の部分との境界部分に両者を接続する傾斜面７８ａが形成されている。
【００７４】
［押え環のレンズ収納筒への取付］
押え環７７をレンズ収納筒７１に取り付ける場合、予め上側開口７９Ｂよりレンズ収納筒７１の内部に第１レンズ７４、間隔環７６、及び第２レンズ７５を挿入しておく。レンズ収納筒７１の内部に挿入された第１レンズ７４、間隔環７６、及び第２レンズ７５は、既述の規制環７３によって下方向側への移動が規制された状態となる。
【００７５】
次いで、押え環７７を、レンズ収納筒７１の上側開口７９Ｂよりレンズ収納筒７１の内部に挿入する。この挿入を継続すると、押え環７７の各スナップフィット係合部８５の係合爪９１の先端部が傾斜面７８ａに接触する。
【００７６】
そして、押え環７７の挿入を継続すると、傾斜面７８ａにより各係合爪９１が各々に対向する底部８９に向けて押圧される。これにより、各スナップフィット係合部８５の平板９０は、その下方向側の端部（係合爪９１）が底部８９に近づくように弾性変形される。その結果、押え環７７の最大外径Ｄ２の大きさが内径Ｄ５（外径Ｄ１）の大きさまで縮小されるので、押え環７７を、筒内周面７８の中で各係合穴８７が形成されている部分まで挿入させることができる。
【００７７】
さらに、押え環７７の挿入を継続すると、押え環７７が第２レンズ７５に接触する。この接触後、押え環７７を下方向側に押さえ付けることで、各係合爪９１がそれぞれ各係合穴８７に対向する位置まで移動される。これにより、筒内周面７８による各係合爪９１の押えが解除されるため、各平板９０が元の形状に復元する。その結果、係合爪９１ごとに、係合爪９１に対向する係合穴８７に挿入されて係合穴８７と係合する。この際に、各係合爪９１の先端部には面取り面９１ｂが形成されているので、各係合爪９１を各係合穴８７に容易に挿入することができる。
【００７８】
各係合爪９１と各係合穴８７との係合が完了すると、各係合爪９１の抜け止め面９１ａがそれぞれ係合穴８７の穴内壁面８７ａに引っ掛けられることにより、押え環７７の上方向側への移動が確実に規制される。これにより、押え環７７が、第２レンズ７５等を下方向側に押さえ付けた状態のままで筒内周面７８に固定される。その結果、押え環７７及び規制環７３により、第１レンズ７４、間隔環７６、及び第２レンズ７５が上下方向に挟持固定される。
【００７９】
また、レンズユニット７０を含む照明光学系１０では、各光源１１，１５側から各部品の寸法及び位置等の公差を積み上げて目標とする総合公差を定めている。この際に、本実施形態とは逆に、各係合爪９１の下方向側の側面に抜け止め面９１ａが形成されていると、押え環７７が上方向側に変位する可能性がある。この場合には、総合公差を大きくする必要があるため、レンズユニット７０の組み立て精度が低下するおそれがある。これに対して、本実施形態では、各係合爪９１の抜け止め面９１ａによって押え環７７の上方向側への移動が確実に規制されるので、押え環７７が第２レンズ７５等を下方向側に押さえ付けた状態が維持される。その結果、上述の総合公差を小さくすることができるので、レンズユニット７０の組み立て精度を上げることができる。
【００８０】
［本実施形態の効果］
以上のように本実施形態では、レンズ収納筒７１の筒内周面７８に対して押え環７７をスナップフィット方式で固定すると共に、この押え環７７と規制環７３とに間に各レンズ７４，７５等を挟持固定するため、接着剤を用いずにレンズユニット７０を組み立てることができる。その結果、接着剤からのアウトガスの発生が防止される。また、レンズユニット７０の組み立て作業が簡便になるので、作業者ごとのレンズユニット７０の組み立て精度のばらつきが抑えられる。その結果、アウトガスの発生防止と、レンズユニット７０の組立精度のばらつき低減とを両立することができる。
【００８１】
［その他］
図１１は、上記実施形態のレンズユニット７０（図３参照）の変形例を説明するための説明図である。上記実施形態では、規制環７３を第１レンズ７４の周縁部に接触させ、且つ押え環７７を第２レンズ７５の周縁部に接触させているが、本発明はこれに限定されるものではない。
【００８２】
図１１に示すように、規制環７３と第１レンズ７４との間に間隔環７６を介在させ、或いは押え環７７と第２レンズ７５との間に間隔環７６を介在させてもよい。すなわち、押え環７７及び規制環７３により、各レンズ７４，７５等を間接的に挟持固定してもよい。これにより、下側開口７９Ａから上方向側に離れた位置に第１レンズ７４を固定したり、或いは上側開口７９Ｂから下方向側に離れた位置に第２レンズ７５を固定したりする必要がある場合でも、レンズユニット７０の組み立て作業を簡単に行うことができる。
【００８３】
上記実施形態では、規制環７３が環状に形成されている場合を例に挙げて説明したが、規制環７３が筒内周面７８の周方向に沿って複数（好ましくは３以上）に分割されていてもよい。この場合、規制環７３の各分割体は、筒内周面７８の周方向に沿って等間隔に配置されていることが好ましい。このように本発明の規制部材は、各レンズ７４，７５等の下方向側への移動を規制し、且つ照明光を通過させる形状であれば特に限定されない。
【００８４】
上記実施形態では、環外周面７７ｂに４つのスナップフィット係合部８５が設けられている場合を例に挙げて説明したが、スナップフィット係合部８５の数は３以下或いは５以上であってもよい。この場合には、スナップフィット係合部８５の数に応じて、筒内周面７８に形成する係合穴８７の数を調整する。
【００８５】
上記実施形態では、係合爪９１が平板９０の第１面９０ａの下方向側の端部に設けられ、且つ接続部９２が平板９０の第２面９０ｂの上方向側の端部に設けられている場合を例に挙げて説明したが、第１面９０ａ上での係合爪９１の位置と、第２面９０ｂ上での接続部９２の位置とは特に限定されず、任意に変更してもよい。
【００８６】
上記実施形態では、係合爪９１の上方向側の側面に平面状の抜け止め面９１ａを形成したが、係合爪９１の下方向側の側面に抜け止め面９１ａを形成してもよく、或いは係合爪９１の上方向側及び下方向側の双方の側面に抜け止め面９１ａを形成してもよい。すなわち、係合爪９１は係合穴８７に係合可能であればその形状は特に限定されるものではない。
【００８７】
上記実施形態では、スナップフィット係合部８５及び係合穴８７を用いて、押え環７７を筒内周面７８にスナップフィット方式で固定しているが、スナップフィット方式で押え環７７を筒内周面７８に固定可能であれば、スナップフィット係合部８５及び係合穴８７は上記実施形態で説明した形状及び構造に特に限定されるものではない。
【００８８】
上記実施形態では、押え環７７及び規制環７３により、第１レンズ７４及び第２レンズ７５を挟持固定する場合を例に挙げて説明したが、１つのレンズ或いは３以上の複数のレンズを直接的或いは間接的に挟持固定してもよい。なお、押え環７７及び規制環７３により複数のレンズを挟持固定する場合には、光軸方向において互いに隣り合うレンズの間に間隔環７６を配置する。
【００８９】
上記実施形態（図２から図５参照）では、本発明の光軸方向として上下方向を例に挙げて説明したが、他の方向であってもよい。
【００９０】
上記実施形態では、眼科装置１の照明光学系１０にレンズユニット７０を設けた場合を例に挙げて説明したが、眼科装置１の他の光学系のレンズユニットであって、且つ１以上のレンズとレンズ収納筒とを有するレンズユニットに対して本発明を適用してもよい。
【００９１】
上記実施形態では、眼科装置１として光干渉断層計と眼底カメラとの複合機を例に挙げて説明を行ったが、光干渉断層計、眼底カメラ、走査型レーザ顕微鏡、スリットランプ、レフラクトメータ、ケラトメータ）、スペキュラーマイクロスコープ、眼圧計、及びウェーブフロントアナライザ等の光学系（レンズユニット）を有する各種の眼科装置に本発明を適用することができる。
【符号の説明】
【００９２】
１…眼科装置，
１０…照明光学系，
１１…観察光源，
１５…撮影光源，
１６…ミラー，
２１…孔開きミラー，
７０…レンズユニット，
７１…レンズ収納筒，
７３…規制環，
７３ａ…貫通穴，
７３ｂ…突き当て面，
７４…第１レンズ，
７５…第２レンズ，
７６…間隔環，
７６ａ…貫通穴，
７７…押え環，
７７ａ…貫通穴，
７７ｂ…環外周面，
７８…筒内周面，
８５…スナップフィット係合部，
８７…係合穴，
９０…平板，
９０ａ…第１面，
９０ｂ…第２面，
９１…係合爪，
９１ａ…抜け止め面，
９１ｂ…面取り面，
９２…接続部
【図１】
2019170500.tif 000003
【図２】
2019170500.tif 000004
【図３】
2019170500.tif 000005
【図４】
2019170500.tif 000006
【図５】
2019170500.tif 000007
【図６】
2019170500.tif 000008
【図７】
2019170500.tif 000009
【図８】
2019170500.tif 000010
【図９】
2019170500.tif 000011
【図１０】
2019170500.tif 000012
【図１１】
2019170500.tif 000013